(57)【要約】【課題】載置および収納のためのエリアを十分に確保するとともに、必要に応じて作業エリアを拡大することができる二重天板デスクを提供する。【解決手段】二重天板デスクは、下側の天板（第１の天板）１０と、この第１の天板１０を支持する脚部４０と、第１の天板１０とほぼ同サイズかつほぼ同形状を有し、第１の天板の上に、第１の天板１０とほぼ平行に、かつデスク後方（矢印Ｒで示す方向）にスライド可能に配置された上側の天板（第２の天板）２０とを備える。両天板を上下に重ね合わせた状態から、第１の天板１０に対して第２の天板２０をデスク後方へスライドさせることができる。そのために、第１の天板１０の表面と第２の天板２０の下面との間には、第１の天板１０上で第２の天板２０をデスク後方にスライド可能に支持するスライド機構３０が配置される。【選択図】図１
2019170609.tif 000002
【特許請求の範囲】
【請求項１】
第１の天板と、
前記第１の天板を支持する脚部と、
前記第１の天板とほぼ同サイズかつほぼ同形状を有し、前記第１の天板の上に、前記第１の天板とほぼ平行に、かつデスク後方にスライド可能に配置された第２の天板とを備え、
前記第２の天板の少なくとも一部は透視可能な部材で構成された二重天板デスク。
【請求項２】
前記第１の天板と前記第２の天板とは、両天板が上下に重なり合った状態で両天板の間に空間を形成するよう所定の間隔を有する請求項１に記載の二重天板デスク。
【請求項３】
前記第１の天板の上面と前記第２の天板の下面との間に配置され、前記第１の天板上で前記第２の天板をスライド可能に支持するスライド機構を備えた請求項１または２に記載の二重天板デスク。
【請求項４】
前記脚部は、前記脚部を移動可能に支持するキャスター部を有する請求項１〜３のいずれかに記載の二重天板デスク。
【発明の詳細な説明】
【技術分野】
【０００１】
本発明は、第１および第２の天板を有する二重天板デスクに関する。
【背景技術】
【０００２】
従来、パーソナルコンピュータ（パソコン）とディスプレイやキーボード、その他の周辺機器をまとめて搭載し、作業を行うためのパソコンデスクとして、主天板の下部に、キーボードを載置するための副天板を設け、必要時に副天板を引き出して使用し、不使用時には副天板を押し込んでキーボードを主天板の下へ収納する構成のものが知られている。
【０００３】
特許文献１には、パソコン操作を行う為のデスクであって、同時に事務処理も可能なように構成されたパソコンデスクが提案されている。このパソコンデスクは、パソコン操作または事務処理をする際に、椅子を後退させることなく、その結果、大きなオフィスを必要としないことを課題としている。そのために、一般デスク天板より低い位置にキーボードが置かれる下天板を有し、下天板の上方には事務処理をする上天板をスライド可能に取り付け、キーボード操作時には上天板を後方のディスプレイ台の下空間内へ位置させておき、事務処理時には上天板をキーボード上に手前に引き出して使用するように構成されている。
【０００４】
特許文献２には、机に着座したオーナーの対面側に接客用のスライド天板を引き出し可能となしたスライド天板付き机が提案されている。このスライド天板付き机は、机天板の下側にスライド天板を押し込み格納した状態では、通常の執務用机として使用できるとともに、接客時にスライド天板をオーナーの着座側と対面側へ引き出し使用できるようにしたものである。
【先行技術文献】
【特許文献】
【０００５】
【特許文献１】特開２００１−２１８６３５号公報
【特許文献２】実開平５−３４９２５号公報
【発明の概要】
【発明が解決しようとする課題】
【０００６】
上記特許文献１のパソコンデスクでは、上天板は下天板に比べて奥行き寸法も横幅も小さい限られた面積のものであり、事務処理時に手前に引き出して使用する際には必ずしも十分な作業スペースとならない。また、この上天板は、不使用時にはディスプレイ台の下に入り込むため、書類を載せておく程度の用途に利用することはできるが、ディスプレイ台の下に入るため、その書類をそのままの状態で視認することは難しく、積極的な作業スペースとして利用することも困難である。さらに、上天板に何も載せない場合でも、その下に位置する下天板上に置かれたものは上天板により隠れてしまう。
【０００７】
したがって、この特許文献１に記載の従来技術では、上天板と下天板という２つの天板を有しながら、必ずしも両天板は有効に活用されていないという問題があった。
【０００８】
上記特許文献２のスライド天板付机では、スライド天板は机天板とほぼ同じ横幅を有し、奥行き寸法も机天板のそれに近いサイズを有しているので、引き出されたスライド天板は机全体の天板面積を大幅に拡大することが可能となっている。しかしながら、このスライド天板は、接客時にスライド天板をオーナーの着座側と対面側へ引き出して使用するものであり、オーナーのための作業スペースを拡大するものではない。この引き出したスライド天板をオーナーが拡大作業スペースとして利用することは不可能ではないが、スライド天板は机天板の下側に収納されているため、引き出し時にはその都度、机の背後に回って引き出す動作を行う必要があり、オーナーのための作業スペース拡大の用途として用いるには現実的でない。また、このスライド天板と机天板の間には両者の接触を避ける程度の空間しか存在せず、机天板の下に収納された状態でのスライド天板は特別な機能（用途）を有していない。
【０００９】
したがって、特許文献２に記載の従来技術においても、机天板とスライド天板という２枚の天板を必ずしも有効に活用できていないという問題があった。
【００１０】
本発明はこのような背景においてなされたものであり、その目的は、物の載置および収納のためのエリアを十分に確保するとともに、必要に応じて作業エリアを拡大することができる二重天板デスクを提供することにある。
【課題を解決するための手段】
【００１１】
本発明による二重天板デスクは、第１の天板と、前記第１の天板を支持する脚部と、前記第１の天板とほぼ同サイズかつほぼ同形状を有し、前記第１の天板の上に、前記第１の天板とほぼ平行に、かつデスク後方にスライド可能に配置された第２の天板とを備え、前記第２の天板の少なくとも一部は透視可能な部材で構成されたものである。
【００１２】
第１および第２の天板はそれぞれの上に物を載置することができ、下側の第１の天板の上に載置された物は、上側の第２の天板から透視することができる。
【００１３】
必要に応じてユーザは自身が後退することなく、単に上側の第２の天板を後方にスライドさせることにより、第１の天板の少なくとも一部を露出させて、作業エリアを拡大することができる。
【００１４】
前記第１の天板と前記第２の天板とは、好ましくは、両天板が上下に重なり合った状態で両天板の間に空間を形成するよう所定の間隔を有する。これにより、第１の天板と第２の天板との間の空間は物の収納空間としても機能する。
【００１５】
前記第１の天板の上面と前記第２の天板の下面との間に配置され、前記第１の天板上で前記第２の天板をスライド可能に支持するスライド機構を備えてもよい。スライド機構を第１の天板の上面と第２の天板の下面との間に配置することにより、比較的重量のある第１の天板をスライド機構で確実に支持することができる。
【００１６】
前記脚部は、前記脚部を移動可能に支持するキャスター部を有してもよい。これにより、第２の天板を後方にスライドさせるための空間がないような場合に、一時的に脚部をデスクの手前側へ移動させることが容易に行える。
【００１７】
なお、本明細書において、用語「デスク」とは机の意であるが、テーブルも含む広義の概念で用いている。
【発明の効果】
【００１８】
本発明の二重天板デスクによれば、物の載置および収納のためのエリアを十分に確保するとともに、必要に応じて作業エリアを拡大することができる。すなわち、デスク上に物を置く、デスク上の物を見る、デスク内に物を収納する、デスク上で作業をする、という種々の機能を同時並行的に実現し、かつ、必要に応じて作業エリアを拡大することにより、２つの天板を個別かつ協働して有効活用することができる。
【図面の簡単な説明】
【００１９】
【図１】本発明の実施の形態による二重天板デスクの外観を示す斜視図である。
【図２】本発明の実施の形態による二重天板デスクの第２の天板をスライドさせた状態を示す斜視図である。
【図３】本発明の実施の形態による二重天板デスクの正面図である。
【図４】本発明の実施の形態による二重天板デスクの縮小時の右側面図である。
【図５】本発明の実施の形態による二重天板デスクの伸長時の右側面図である。
【図６】本発明の実施の形態による二重天板デスクのスライド機構の一例の縮小時と伸長時の側面図である。
【図７】本発明の実施の形態による二重天板デスクのスライド機構の一例の縮小時と伸長時の斜視図である。
【図８】本発明の実施の形態による二重天板デスクの各部の相互の連結手段の具体例を示した断面図である。
【発明を実施するための形態】
【００２０】
以下、本発明の実施形態について図面を参照しながら詳細に説明する。
【００２１】
図１は、本実施の形態による二重天板デスクの外観を示す斜視図である。
【００２２】
この二重天板デスクは、第１の天板１０と、この第１の天板１０を支持する脚部４０と、第２の天板２０とにより構成される。第２の天板２０は、第１の天板１０とほぼ同サイズかつほぼ同形状を有し、第１の天板１０の上に、第１の天板１０とほぼ平行に配置される。
【００２３】
図２は、図１に示した二重天板デスクの第２の天板２０をスライドさせた状態を示す斜視図である。この二重天板デスクは、図１に示すように、両天板を上下に重ね合わせた状態から、図２に示すように、下側の天板である第１の天板１０に対して上側の天板である第２の天板２０をデスク後方（図１の矢印Ｒで示す方向）へスライドさせることができるように構成されている。「デスク後方」とは、通常、デスクに着座するユーザの側と反対側の方向を意味する。
【００２４】
第１の天板１０に対する第２の天板２０のスライドを可能とするために、第１の天板１０の表面と第２の天板２０の下面との間には、第１の天板１０上で第２の天板２０をデスク後方にスライド可能に支持するスライド機構３０が配置されている。
【００２５】
本実施の形態では、第２の天板２０は透視可能な（透明の）部材で構成される。その材料の一例として強化ガラスを用いることができる。但し、第２の天板２０は必ずしもその全体が透視可能である必要はなく、一部のみが透視可能な構成であってもよい。
【００２６】
脚部４０は、第１の天板１０を支持する複数（この例では２本）の支柱４１と、前後方向に伸びた２つの脚板４３とを備える。２つの脚板４３は、その中央部でそれぞれの支柱４１の下部を支持する。本発明に必須の構成ではないが、脚板４３には、その前端および後端に脚部４０を移動可能に支持するキャスター部４５が取り付けられている。
【００２７】
図３は、二重天板デスクの正面図である。図４および図５は、それぞれ、縮小時と伸長時の二重天板デスクの右側面図である。
【００２８】
これらの図から分かるように、脚部４０の２本の支柱４１は、それぞれ第１の天板１０の左右端近傍（両側部）で前後方向に水平に伸びて支持する２本の支持桁部４２のほぼ中央部を支持している。これら２本の支持桁部４２の中央部の間に水平に伸びて天板１０を支持する支持梁部４４が設けられている。
【００２９】
第１の天板１０と第２の天板２０とは、両天板が上下に重なり合った状態で両天板の間に収納空間Ｓ（図３参照）を形成するよう所定の間隔ｄを有する。この所定の間隔ｄは特に限定するものではなく用途や機能によって異なりうるが、例えば数ｍｍから１０ｃｍ程度であり、本実施の形態では５〜６ｃｍを想定している。
【００３０】
両天板間の収納空間Ｓの用途は特に限定されるものではないが、単に収納用途に利用するのではなく、例えば、カレンダー、写真、参考資料などの収納物を第１の天板１０上に載置し、第２の天板２０の上から当該収納物を透視して利用する用途に好適である。第１の天板１０上に収納物を載置することは、第２の天板２０上に載置する場合に比べて、デスクでの作業時に第２の天板２０上で物やユーザの手が干渉することがなく、当該収納物が作業の支障になることもない。収納物の追加、取り出し、交換は、ユーザ自身が後退する（例えば着座した椅子を後退させる）必要なく、第２の天板２０をデスク後方にスライドさせて第１の天板１０をユーザの手前側から露出させることにより迅速かつ簡単に行える。
【００３１】
脚部４０にキャスター部４５を備えることにより、第２の天板を後方にスライドさせるための空間がデスク後方に存在しないような場合に、一時的に脚部４０をデスクの手前側へ移動させることが容易に行える。
【００３２】
また、第２の天板２０のみでは作業エリアが足りないような場合、第２の天板２０をデスク後方へスライドさせて、第１の天板１０の露出したエリアを追加の作業エリアとして利用することが可能となる。
【００３３】
図６（ａ）（ｂ）に、スライド機構３０の一例の縮小時と伸長時の側面図を示す。また、図７（ａ）（ｂ）に、スライド機構３０の一例の縮小時と伸長時の斜視図を示す。
【００３４】
図６（ａ）によく表れているように、スライド機構３０は、スライドレールユニットＳＲＵと、スペーサ部材３７と、支持プレート部３８とにより構成されている。
【００３５】
スライドレールユニットＳＲＵは、３本の入れ子状の長尺部材である外側部材３１，中間部材３３，および内側部材３５からなる。外側部材３１は第１の天板１０の表面に固定される長尺部材である。固定のための手段としては特に限定しないが、例えばネジ止め等の公知の手段を利用することができる。この外側部材３１に対して、その長手方向に沿って、中間部材３３がスライド可能に支持される。さらにこの中間部材３３に対して、その長手方向に沿って、内側部材３５がスライド可能に支持される。特に図示はしないが、互いにスライドする長尺部材間にはボールベアリングのような潤滑手段を設けてもよい。
【００３６】
細部構造は図示しないが、外側部材３１に対する中間部材３３の後退時と伸長時の所定の位置にストッパが設けられ、外側部材３１に対する中間部材３３の可動範囲が制限されている。同様に、中間部材３３に対する内側部材３５の後退時と伸長時の所定の位置にストッパが設けられ、中間部材３３に対する内側部材３５の可動範囲が制限されている。
【００３７】
このようないわゆる３段引きのスライドレール機構により、耐荷重性を維持しつつ、外側部材３１に対する内側部材３５のスライド量を２段引きの機構に比べて拡大することができる。但し、本発明は３段引きの構成に限るものではない。このような３段引きのスライドレールユニットＳＲＵは、例えば、スガツネ工業株式会社のアルミ合金製スライドレールＣＢＬ−Ｄ５００として市販されているものを利用することができる。
【００３８】
内側部材３５には、その上面にスペーサ部材３７が固定されている。固定の手段は特に問わない。スペーサ部材３７は、内側部材３５から上方へ直立した直立部３７ａと、その上辺から水平に拡がった支持プレート部３８とを有する。スペーサ部材３７の高さによって、天板１０と天板２０との間の収納空間Ｓの高さが決定される。直立部３７ａには、その長手方向に沿って開口３７ｃが設けられている。この開口３７ｃはスライド機構の重量および材料の軽減の為のものであり、本発明に必須の要素ではない。
【００３９】
図４によく表れるように、支持プレート部３８は天板２０を支持するよう、天板２０が支持プレート部３８に固定される。この固定は、固定具３９を用いて天板２０を支持プレート部３８に固定することにより行われる。固定具３９の具体例については後述する。
【００４０】
支持プレート３７ｂは、直接、天板２０を支持するのではなく、より幅が広く長さの長い支持プレート部３８を介して天板２０を支持している。これにより、強化ガラス製の天板２０のスペーサ部材３７への取り付けを確実かつ容易にしている。
【００４１】
図８により天板２０と支持プレート部３８とスペーサ部材３７とＳＲＵの相互の連結手段の具体例を説明する。 
【００４２】
上述したように、天板２０は固定具３９を用いて支持プレート部３８に固定される。この具体例における固定具３９は、天板２０の所定の位置に嵌め込んだ駒状のナット３９ａに対して、支持プレート部３８の下側からボルト３８ａを差し込んで、ナット３９ａに締め付けて固定するものである。ナット３９ａの頭部は皿状になっており、その上面は天板２０の面位置と一致するように設置される。そのために、天板２０のナット３９ａの設置位置の表面はすり鉢状にカットされる。
【００４３】
支持プレート部３８とスペーサ部材３７との連結は、所定の位置において、スペーサ部材３７の支持プレート３７ｂの側から支持プレート部３８にボルト３７ｄでネジ止めすることにより実現している。
【００４４】
スペーサ部材３７とＳＲＵとの連結は、所定の位置において、スペーサ部材３７の側からＳＲＵの内側部材３５に対してボルト３７ｅでネジ止めすることにより実現している。
【００４５】
以上説明した本実施の形態の二重天板デスクによれば、次のような機能および作用効果が得られる。
（１）二重天板のそれぞれの天板上に物を置くことができる。すなわち、従来の一重の天板のみを有するデスクに比べて、物の載置面積が拡大する。
（２）第２の天板を透視可能な部材で構成することにより、第２の天板上に置いたものを見ることができるだけでなく、第２の天板を通して第１の天板上の物を見ることができる。そのような「第１の天板上の物」としては、収納可能なサイズのものであれば何ら限定されないが、例えば、閉じた又は開いた状態の本、雑誌、印刷物、キーボード、マウスなどの周辺機器、表示画面を有するタブレットやスマートフォンなどの電子機器などを、第２の天板越しに、視認したり動作状態（電源ライトや表示画面等）を確認したりすることができる。すなわち、視覚的に利用できるデスク上空間が拡大する。
（３）下側（第１の天板）に物を置くことは、その物を収納空間に収納することにもなる。収納した物は第２の天板から透視することができる。当面、見る必要のない物、あるいは見るだけで手にとる必要のない物は第１の天板上に載置しておくことができる。
（４）第２の天板の上面は作業エリアとなるだけでなく、第２の天板をデスク後方にスライドさせることにより、第１の天板の上面（の少なくとも一部）も作業エリアとして利用することができる。すなわち、総合的な作業スペースを増加させることができる。例えば、上側の天板（第２の天板）上にコンピュータのディスプレイ装置を載置し、下側の天板（第１の天板）にキーボード、マウス、タッチパッドなどの周辺機器を載置することができる。これにより、当該周辺機器は不使用時には第２の天板の下側に収納しておき、必要時に第２の天板をデスク公報にスライドさせて当該周辺機器を操作可能に露出させることができる。収納時には、当該周辺機器に対して第２の天板がカバーとして機能するため、当該周辺機器への塵埃が蓄積する可能性を軽減したり、珈琲などの飲み物で汚損することが防止したりすることができる。
また、その際にユーザ自身が後退する（例えば着座した椅子を後退させる）必要がない。その結果、ユーザのすぐ背後に壁や棚、キャビネット、敷居などの障害物がある場合にも天板のスライド操作に支障が生じることがない。
（５）第２の天板上にディスプレイ装置を載置した場合、第２の天板を前後にスライドさせることにより、ユーザの（椅子の）位置を変えることなく、ユーザ（の視点）から画面までの距離を調節することができる。
【００４６】
本実施の形態の二重天板デスクによれば、このような種々の機能を同時並行的に実現し、２つの天板１０，２０を総合的に有効活用することができる。
【００４７】
以上、本発明の好適な実施の形態について説明したが、上記で言及した以外にも種々の変形、変更を行うことが可能である。
【００４８】
例えば、第１および第２の天板に加えて、第３の天板を設けてもよい。その場合、上側２枚の天板を透視可能な部材で構成することが望ましい。第１と第２の天板の間隔と、第２と第３の天板の間隔を異ならせてもよい。
【００４９】
脚部４０の支柱の本数は２本としたが、これに限るものではない。例えば、４本であってもよい。支持桁部４２や支持梁部４４の構成や本数も図示のものに限らない。
【００５０】
脚部４０のキャスター部４５は必ずしも無くてもよい。
【００５１】
なお、場合によっては、上側の天板（第２の天板）をデスク後方側へスライドさせたときにデスク全体の姿勢の安定性が低下する可能性がある。特に、第２の天板の後方位置に重量物を載置した場合にはデスクを後方へ転倒させようとする力（モーメント）が働く。このような力を相殺または低減するために、特定の部材（例えば脚部４０）の全体または一部の材質、形状、サイズ等を変更したり、所定の箇所に追加的な部材（例えば重量物や支持部材）を設置したりするようにしてもよい。
【符号の説明】
【００５２】
１０：天板（下側の天板：第１の天板）
２０：天板（上側の天板：第２の天板）
３０：スライド機構
３１：外側部材
３３：中間部材
３５：内側部材
３７：スペーサ部材
３７ａ：直立部
３７ｂ：支持プレート
３７ｃ：開口
３７ｄ：ボルト
３７ｅ：ボルト
３８：支持プレート部
３８ａ：ボルト
３９：固定具
３９ａ：ナット
４０：脚部
４１：支柱
４２：支持桁部
４３：脚板
４４：支持梁部
４５：キャスター部
【図１】
2019170609.tif 000003
【図２】
2019170609.tif 000004
【図３】
2019170609.tif 000005
【図４】
2019170609.tif 000006
【図５】
2019170609.tif 000007
【図６】
2019170609.tif 000008
【図７】
2019170609.tif 000009
【図８】
2019170609.tif 000010
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
長方形の平面形状を有する第１の天板と、
前記第１の天板を支持する脚部と、
前記第１の天板とほぼ同サイズかつほぼ同形状を有し、前記第１の天板の上に、前記第１の天板とほぼ平行に、かつデスク後方にスライド可能に配置された第２の天板と、
前記第１の天板と前記第２の天板との間に空間を形成するよう両天板間に所定の間隔を保ち、前記第１の天板の短辺方向に沿って、前記第２の天板を前記第１の天板上でデスク後方へスライド可能に支持するスライド機構とを備え、
前記第２の天板の少なくとも一部は透視可能な部材で構成された二重天板デスク。
【請求項２】
前記スライド機構は、互いにスライドする平行に重ね合わされた少なくとも第１および第２の長尺部材と、上側の長尺部材上に固定され前記所定の間隔を確保するためのスペーサ部材とを有する請求項１に記載の二重天板デスク。
【請求項３】
前記脚部は、前記脚部を移動可能に支持するキャスター部を有する請求項１または２に記載の二重天板デスク。
【請求項４】
前記第２の天板をデスク後方側へスライドさせたときにデスク全体の姿勢の安定性の低下を防止する手段をさらに備えた請求項１、２または３に記載の二重天板デスク。
【手続補正２】
【補正対象書類名】明細書
【補正対象項目名】００１１
【補正方法】変更
【補正の内容】
【００１１】
本発明による二重天板デスクは、長方形の平面形状を有する第１の天板と、前記第１の天板を支持する脚部と、前記第１の天板とほぼ同サイズかつほぼ同形状を有し、前記第１の天板の上に、前記第１の天板とほぼ平行に配置された第２の天板と、前記第１の天板と前記第２の天板との間に空間を形成するよう両天板間に所定の間隔を保ち、前記第１の天板の短辺方向に沿って、前記第２の天板を前記第１の天板上でデスク後方へスライド可能に支持するスライド機構とを備え、前記第２の天板の少なくとも一部は透視可能な部材で構成されたものである。
【手続補正３】
【補正対象書類名】明細書
【補正対象項目名】００１５
【補正方法】変更
【補正の内容】
【００１５】
前記第１の天板の上面と前記第２の天板の下面との間に配置され、前記第１の天板上で前記第２の天板をスライド可能に支持するスライド機構を備えてもよい。スライド機構は、互いにスライドする平行に重ね合わされた少なくとも第１および第２の長尺部材と、上側の長尺部材上に固定され前記所定の間隔を確保するためのスペーサ部材とを有して構成されうる。スライド機構を第１の天板の上面と第２の天板の下面との間に配置することにより、所定の間隔を確保しつつ、比較的重量のある第１の天板をスライド機構で確実に支持することができる。